Podtech/llm-jp-corpus-v4-ja_patent huggingface dataset:
【手続補正書】
【提出日】平成19年11月16日(2007.11.16)
【手続補正１】
【補正対象書類名】特許請求の範囲
【補正対象項目名】全文
【補正方法】変更
【補正の内容】
【特許請求の範囲】
【請求項１】
式Ｉの化合物：
【化１】
2007514790.tif 000001
[式中：
Ｘ１はＮでありＸ２はＣであり、またはＸ１はＣでありＸ２はＮであり；
Ｚはフルオロ、クロロ、またはシアノであり；
Ｒ１およびＲ２は独立して、水素、ヒドロキシ、ハロ、Ｃ１−６アルキルハロ、ＯＣ１−６アルキルハロ、Ｃ１−６アルキル、ＯＣ０−６アルキル、Ｃ１−６アルキルＯＲ４、ＯＣ２−６アルキルＯＲ４、Ｃ０−６アルキルシアノ、Ｃ０−６アルキルＮＲ４Ｒ５、およびＯＣ２−６アルキルＮＲ４Ｒ５から成る群より選択され；
Ｒ４およびＲ５は独立して、水素、ヒドロキシおよびＣ１−３アルキルから成る群より選択される]；
またはその塩、溶媒和物もしくは溶媒和した塩。
【請求項２】
Ｘ１がＣでありＸ２がＮである、請求項１に記載の化合物。
【請求項３】
Ｚがフルオロまたはシアノである、請求項１〜２のいずれか１項に記載の化合物。
【請求項４】
Ｒ１およびＲ２が、水素、ヒドロキシ、ハロ、−Ｃ１−３アルキルハロ、−ＯＣ１−３アルキルハロ、−Ｃ１−３アルキル、−ＯＣ０−３アルキル、−Ｃ１−３アルキルＯＲ４、−ＯＣ２−４アルキルＯＲ４、−Ｃ０−３アルキルシアノ、およびＣ０−３アルキルＮＲ４Ｒ５から成る群より選択され；そしてＲ４およびＲ５が独立して、水素、メチルおよびエチルから選択される、請求項１〜３のいずれか１項に記載の化合物。
【請求項５】
Ｒ１がフルオロ、クロロ、ブロモ、ヨード、メトキシメチル、メトキシ、ジフルオロメトキシ、トリフルオロメトキシ、２−メトキシ−エトキシ、エチルアミノ、またはアミンである、請求項１〜４のいずれか１項に記載の化合物。
【請求項６】
Ｒ２がフルオロまたはシアノである、請求項１〜５のいずれか１項に記載の化合物。
【請求項７】
以下；
３−フルオロ−５−[５−(５−フルオロピリジン−２−イル)−２Ｈ−テトラゾル−２−イル]ベンゾニトリル、
６−[２−(３−シアノ−５−フルオロフェニル)−２Ｈ−テトラゾル−５−イル]ニコチノニトリル、
３−[５−(５−クロロピリジン−２−イル)−２Ｈ−テトラゾル−２−イル]−５−フルオロベンゾニトリル、
３−[５−(５−フルオロ−ピリジン−２−イル)−テトラゾル−２−イル]−５−メトキシメチル−ベンゾニトリル、
３−フルオロ−５−[２−(５−フルオロピリジン−２−イル)−２Ｈ−テトラゾル−５−イル]ベンゾニトリル、
６−[５−(３−シアノ−５−フルオロフェニル)−２Ｈ−テトラゾル−２−イル]ニコチノニトリル、
３−[２−(５−クロロピリジン−２−イル)−２Ｈ−テトラゾル−５−イル]−５−フルオロベンゾニトリル、
３−[５−(５−フルオロピリジン−２−イル)−２Ｈ−テトラゾル−２−イル]−５−(メトキシメチル)ベンゾニトリル、
５−フルオロ−２−[２−(３−フルオロ−５−メトキシフェニル)−２Ｈ−テトラゾル−５−イル]ピリジン、
３−[５−(５−フルオロ−ピリジン−２−イル)−２Ｈ−テトラゾル−２−イル]−５−メトキシベンゾニトリル、
３−[５−(５−フルオロピリジン−２−イル)−２Ｈ−テトラゾル−２−イル]−５−(トリフルオロメトキシ)ベンゾニトリル、
３−(ジフルオロメトキシ)−５−[５−(５−フルオロピリジン−２−イル)−２Ｈ−テトラゾル−２−イル]ベンゾニトリル、
３−[５−(５−フルオロピリジン−２−イル)−２Ｈ−テトラゾル−２−イル]−５−(２−メトキシエトキシ)ベンゾニトリル、
３−(エチルアミノ)−５−[５−(５−フルオロピリジン−２−イル)−２Ｈ−テトラゾル−２−イル]ベンゾニトリル、
３−アミノ−５−[５−(５−フルオロピリジン−２−イル)−２Ｈ−テトラゾル−２−イル]ベンゾニトリル、
３−[５−(５−フルオロピリジン−２−イル)−２Ｈ−テトラゾル−２−イル]−５−ヨードベンゾニトリル
からなる群より選択される化合物、
またはその塩、溶媒和物、もしくは溶媒和された塩。
【請求項８】
１以上の医薬的に許容な希釈剤、賦形剤、および/または不活性な担体と共に、活性成分として請求項１〜７のいずれか１項に記載の化合物の治療有効量を含む医薬組成物。
【請求項９】
ｍＧｌｕＲ５受容体を介しての障害の処置における使用のための、請求項８に記載の医薬組成物。
【請求項１０】
治療における使用のための、請求項１〜７のいずれか１項に記載の化合物。
【請求項１１】
ｍＧｌｕＲ５受容体を介しての障害の処置における使用のための、請求項１から７のいずれか１項に記載の化合物。
【請求項１２】
ｍＧｌｕＲ５受容体を介しての障害の処置のための医薬剤の製造における、請求項１〜７のいずれか１項に記載の化合物の使用。
【請求項１３】
請求項１〜７のいずれか１項に記載の化合物の治療有効量を、ｍＧｌｕＲ５受容体を介しての障害の処置を必要とするヒトを含む哺乳動物に投与することを含む、処置方法。
【請求項１４】
障害が神経学的障害である、請求項１２に記載の使用。
【請求項１５】
障害が精神医学的障害である、請求項１２に記載の使用。
【請求項１６】
障害が慢性および急性の疼痛障害である、請求項１２に記載の使用。
【請求項１７】
障害が胃腸障害である、請求項１２に記載の使用。
【請求項１８】
ｍＧｌｕＲ５受容体を含有する細胞を処置することを含む、前記受容体の活性化を阻害するための医薬の製造における、請求項１に記載の化合物の使用。
【請求項１９】
以下のステップ
１）対応するシアノアミノピリジンを、適切なニトレート源の存在下でフッ化水素を用いて処理すること、そして
２）混合物を放置して所望の生成物に分解させること
を包含する、シアノ置換基およびフルオロ置換基を有するピリジル化合物を製造する方法。
【請求項２０】
以下のステップ
１）対応するシアノアミノピリジンを、ピリジンおよび亜硝酸ナトリウムの存在下でフッ化水素を用いて処理すること、そして
２）混合物を熱して、in situで所望の生成物への分解を誘導すること
を含む、シアノ置換基およびフルオロ置換基を有するピリジル化合物を製造するための、請求項１９に記載の方法。
【請求項２１】
ステップ１において７０％フッ化水素−ピリジンを使用する、請求項２０に記載の方法。
【請求項２２】
ピリジル化合物が５−フルオロ−ピリジン−２−カルボニトリルである、請求項１９〜２１のいずれか１項に記載の方法。
【請求項２３】
対応するシアノアミノピリジンが５−アミノ−ピリジン−２−カルボニトリルである、請求項２２に記載の方法。
【請求項２４】
ステップ１のシアノアミノピリジンをフッ化水素と合わせ、冷却した後、亜硝酸ナトリウムを加え、反応混合液を１５分から１時間、低温で攪拌したまま放置し、続いて室温まで温め、ステップ２において反応混合液を約１時間加熱する、請求項２１〜２２のいずれか１項に記載の方法。
【請求項２５】
ステップ２において反応液を８０℃に加熱する、請求項２４に記載の方法。
【手続補正書】
【提出日】平成20年10月29日(2008.10.29)
【手続補正１】
【補正対象書類名】特許請求の範囲
【補正対象項目名】全文
【補正方法】変更
【補正の内容】
【特許請求の範囲】
【請求項１】
式：
【化１】
2007514779.tif 000001
（式中、Ａは、−（ＣＨ２）ｍ−であり；ｍは、１〜６であり；ならびにＲ１、Ｒ２及びＲ３は、個々に、低級アルキル又はアリールである。）
で表されるカンプトテシン誘導体を合成するための方法であって、以下の工程で構成される方法。
ａ）実質的に純粋な所定量のカンプトテシンを用意して、このカンプトテシンを強酸の溶液に溶解する工程；
ｂ）式：Ｒ３Ｒ２Ｒ１Ｓｉ−Ａｍ−Ｘ（ＩＩ）（式中、Ｘは、複素環である。）を有する所定量の化合物を用意して、前記（ＩＩ）を有機系溶液に溶解する工程；及び
ｃ）前記工程ａ）及びｂ）から得られた溶液を十分な時間混合して反応させ、式Ｉの化合物を生成する工程
【請求項２】
強酸が硫酸であり、有機系溶液が低級アルコール又はベンジルアルコールである請求項１記載の方法。
【請求項３】
工程ａ）が、所定量の金属水和物触媒を強酸の溶液に添加する工程を包含する請求項１又は２記載の方法。
【請求項４】
Ｒ１、Ｒ２及びＲ３がメチル、ｔｅｒｔ−ブチル又はフェニルである請求項１〜３のいずれかの項に記載の方法。
【請求項５】
Ｒ１、Ｒ２及びＲ３がメチルである請求項１〜４のいずれかの項に記載の方法。
【請求項６】
Ｘが１，３−ジオキソランである請求項１〜５のいずれかの項に記載の方法。
【請求項７】
工程ｃ）が、強酸化剤を前記工程ａ）及びｂ）から得られた溶液の混合物に添加する工程を包含する請求項１〜６のいずれかの項に記載の方法。
【請求項８】
金属水和物が硫酸鉄（ＩＩ）である請求項３記載の方法。
【請求項９】
強酸化剤が過酸化水素である請求項７記載の方法。
【手続補正２】
【補正対象書類名】明細書
【補正対象項目名】０００９
【補正方法】変更
【補正の内容】
【０００９】
（式中、Ａは−（ＣＨ２）ｍ−（ここでｍは１〜６である。）であり；ならびにＲ１、Ｒ２及びＲ３は、個々に、低級アルキル又はアリールである。）
前記方法は、以下の工程で構成されている。
ａ）実質的に純粋な所定量のカンプトテシンを用意して、このカンプトテシンを強酸の溶液に溶解する工程；
ｂ）式：Ｒ３Ｒ２Ｒ１Ｓｉ−Ａｍ−Ｘ（ＩＩ）（式中、Ｘは、複素環である。）を有する所定量の化合物を用意して、前記（ＩＩ）を有機系溶液に溶解する工程；及び
ｃ）前記工程ａ）及びｂ）から得られた溶液を十分な時間混合して反応させ、式Ｉの化合物を生成する工程。
前記強酸は硫酸であってもよく、前記有機系溶液は低級アルコール又はベンジルアルコールであってもよい。
前記工程ａ）は、所定量の金属水和物（例えば、硫酸鉄（ＩＩ））触媒を強酸の溶液に添加する工程を包含してもよい。
前記式（Ｉ）において、Ｒ１、Ｒ２及びＲ３はメチル、ｔｅｒｔ−ブチル又はフェニル（例えば、メチル）であってもよい。
前記式（ＩＩ）において、Ｘは１，３−ジオキソランであってもよい。
工程ｃ）は、強酸化剤（例えば、過酸化水素）を前記工程ａ）及びｂ）から得られた溶液の混合物に添加する工程を包含してもよい。
この方法は、本質的に一工程でカンプトテシンから好ましい化合物を合成する方法である。周知のように、カンプトテシンは、アジア、及び欧州の一部に主に生息するカンレンボク（camptotheca accuminata）の樹皮から単離することができる。カンプトテシンの活性型は、上記に示されるように（Ｓ）−立体異性体であり、この異性体は、ＧＭＰグレード又は実質的な純度を有する非ＧＭＰグレードのいずれかで、主に中国、インド及び欧州に存在する多くの商業的供給元のうちのいずれかから市販の製品として購入できる。
【手続補正書】
【提出日】平成19年12月14日(2007.12.14)
【手続補正１】
【補正対象書類名】特許請求の範囲
【補正対象項目名】全文
【補正方法】変更
【補正の内容】
【特許請求の範囲】
【請求項１】
眼科的状態を処置するための組成物であって、該組成物は、
ヒアルロニダーゼまたはコラゲナーゼ
を含有し、該組成物は、眼科的状態を罹患している患者の眼への投与に適しており、該患者の眼にはコンタクトレンズが適用されていることを特徴とする、組成物。
【請求項２】
角膜の生理機能および解剖学的構造の変化を誘導することによって眼科的状態を処置するための組成物であって、該組成物は、
ヒアルロニダーゼまたはコラゲナーゼ
を含有し、該組成物は、角膜の力の変化を誘導する成形コンタクトレンズと組合わせて使用するために適しており、該組成物およびコンタクトレンズは、両眼の前面の曲率半径を変化させることを特徴とする、組成物。
【請求項３】
角膜の生理機能および解剖学的構造の変化を誘導することによって眼科的状態を処置するための組成物であって、該組成物は、
ヒアルロニダーゼまたはコラゲナーゼ
を含有し、該組成物は、角膜の力の変化を誘導する成形コンタクトレンズと組合わせて使用するために適しており、該組成物およびコンタクトレンズは、片眼のみの前面の曲率半径を変化させることを特徴とする、組成物。
【請求項４】
前記コンタクトレンズが、市販品である、請求項１、２、または３に記載の組成物。
【請求項５】
前記コンタクトレンズが、特別注文品ではない、請求項１、２、または３に記載の組成物。
【請求項６】
前記コンタクトレンズが、角膜矯正のために特別に設計されたものではない、請求項１、２、または３に記載の組成物。
【請求項７】
前記コンタクトレンズが、長時間装用コンタクトレンズである、請求項１、２、または３に記載の組成物。
【請求項８】
前記組成物が、酵素、麻酔剤、ビタミン類、抗生物質、および抗炎症剤からなる群より選択される因子の組み合わせである、請求項１、２、または３に記載の組成物。
【請求項９】
前記処置が、眼科的状態の矯正を、少なくとも７日間もたらすことを特徴とする、請求項１、２、または３に記載の組成物。
【請求項１０】
前記処置が、眼科的状態の矯正を、少なくとも６ヶ月間もたらすことを特徴とする、請求項１、２、または３に記載の組成物。
【請求項１１】
前記処置が、眼科的状態の矯正を、少なくとも１年間もたらすことを特徴とする、請求項１、２、または３に記載の組成物。
【請求項１２】
前記処置が、外科手術なしで３ジオプトリまでの屈折異常の矯正をもたらすことを特徴とする、請求項１、２、または３に記載の組成物。
【請求項１３】
前記処置が、外科手術なしで４ジオプトリまでの屈折異常の矯正をもたらすことを特徴とする、請求項１、２、または３に記載の組成物。
【請求項１４】
前記眼科的状態が、老眼、近視、遠視、または乱視である、請求項１、２、または３に記載の組成物。
【請求項１５】
薬学的組成物であって、以下：
（１）ヒアルロニダーゼおよびコラゲナーゼからなる群より選択される酵素；ならびに
（２）酵素、麻酔剤、ビタミン類、抗生物質、潤滑剤、抗炎症剤、およびビヒクルからなる群より選択される少なくとも１つの因子；
を含有する、薬学的組成物。
【請求項１６】
前記組成物が、眼への投与に適する、請求項１５に記載の薬学的組成物。
【請求項１７】
前記組成物が、液体、ゲル、またはスプレーである、請求項１、２、３、または１５に記載の薬学的組成物。
【請求項１８】
前記組成物が、ビヒクルとしてポリマーを含有する、請求項１５に記載の薬学的組成物。
【請求項１９】
前記ポリマーが、メチルセルロースおよびポリビニルアルコールからなる群より選択される、請求項１８に記載の薬学的組成物。
【請求項２０】
前記組成物が、ヒアルロニダーゼを含有する、請求項１５に記載の薬学的組成物。
【請求項２１】
前記組成物が、コラゲナーゼを含有する、請求項１５に記載の薬学的組成物。
【請求項２２】
前記組成物が、コラゲナーゼおよびヒアルロニダーゼを含有する、請求項１、２、３、または１５に記載の薬学的組成物。
【請求項２３】
前記組成物が、麻酔剤、抗生物質、抗炎症剤、抗アレルギー剤、ビタミンＡ、ヒアルロニダーゼ、カルバミド、および血管収縮剤を含有する、請求項１５に記載の薬学的組成物。
【請求項２４】
請求項２３に記載の薬学的組成物であって、さらにコラゲナーゼを含有する、薬学的組成物。
【請求項２５】
前記組成物が、麻酔剤、抗生物質、抗炎症剤、抗アレルギー剤、ビタミンＡ、ヒアルロニダーゼ、カルバミド、サイトキナーゼ、および血管収縮剤からなる群より選択される少なくとも３つの因子を含有する、請求項１５に記載の薬学的組成物。
【請求項２６】
前記組成物が、麻酔剤、抗生物質、抗炎症剤、抗アレルギー剤、ビタミンＡ、ヒアルロニダーゼ、カルバミド、サイトキナーゼ、および血管収縮剤からなる群より選択される少なくとも４つの因子を含有する、請求項１５に記載の薬学的組成物。
【請求項２７】
薬学的組成物であって、以下：
０．１％〜５％の範囲のヒアルロニダーゼ；
０．１％〜６％の範囲のコラゲナーゼ；および
メチルセルロースおよびポリビニルアルコールからなる群より選択されるビヒクル；
を含有する、薬学的組成物。
【請求項２８】
前記組成物が、高張性である、請求項１、２、３、１５、または２７に記載の組成物。
【請求項２９】
前記組成物が、低張性である、請求項１、２、３、１５、または２７に記載の組成物。
【請求項３０】
さらに、麻酔剤、抗生物質、抗炎症剤、抗アレルギー剤、ビタミンＡ、カルバミド、サイトキナーゼおよび血管収縮剤からなる群より選択される少なくとも１つの因子を含有する、請求項２７に記載の組成物。
【請求項３１】
コンタクトレンズ、およびヒアルロニダーゼまたはコラゲナーゼを含有する薬学的組成物を備えるキット。
【請求項３２】
請求項３１に記載のキットであって、説明書をさらに備える、キット。
【請求項３３】
請求項３１に記載のキットであって、コンタクトレンズクリーニング用品をさらに備える、キット。
【請求項３４】
前記組成物が、メチルセルロース、セルロース、およびポリビニルアルコールからなる群より選択されるビヒクルをさらに含有する、請求項２２に記載の組成物。
【手続補正書】
【提出日】平成19年11月30日(2007.11.30)
【手続補正１】
【補正対象書類名】特許請求の範囲
【補正対象項目名】全文
【補正方法】変更
【補正の内容】
【特許請求の範囲】
【請求項１】
抗腫瘍及び白血球保護の活性成分としてのスーパーオキシドジスムターゼ及びグルタチオンレダクターゼ擬似物を含む抗癌医薬品。
【請求項２】
前記擬似物がマンガホジピルであることを特徴とする請求項1に記載の抗癌医薬品。
【請求項３】
細胞内で活性酸素種の産生を誘導できる抗腫瘍剤をさらに含むことを特徴とする請求項1又は2に記載の抗癌医薬品。
【請求項４】
前記抗腫瘍剤が、ドキソルビシン、マイトマイシンC、エトポシド、白金誘導体、タモキシフェン、タキソール、5-フルオロウラシル、イリノテカン、ゲムシタビン、エンドキサン、ストレプトゾトシン、ブレオマイシン及びビンクリスチンから選択されることを特徴とする請求項3に記載の抗癌医薬品。
【請求項５】
オキサリプラチン、5-フルオロウラシル及びタキソールから選択される抗腫瘍剤と組み合わせてスーパーオキシドジスムターゼ及びグルタチオンレダクターゼ擬似物を含む医薬組成物。
【請求項６】
前記擬似物がマンガホジピルであることを特徴とする請求項5に記載の医薬組成物。
【手続補正書】
【提出日】平成19年11月14日(2007.11.14)
【手続補正１】
【補正対象書類名】特許請求の範囲
【補正対象項目名】全文
【補正方法】変更
【補正の内容】
【特許請求の範囲】
【請求項１】
神経変性疾患の治療及び予防における使用のために特定される医薬組成物であって、以下の式の化合物の有効な量を含む医薬組成物：
2007514732.tif 000001
又はＴｅＯ２・ＨＯＣＨ２ＣＨ２ＯＨ・ＮＨ４Ｃｌの錯体；
又は
2007514732.tif 000002
又はＴｅＯ２もしくはＴｅＯ２の錯体（Ｃ）
又はＰｈＴｅＣｌ３（Ｄ）
又はＴｅＸ４（式中、ＸはＣｌ，Ｂｒ又はＦである）
又は（Ｃ６Ｈ５）４Ｐ＋（ＴｅＣｌ３（Ｏ２Ｃ２Ｈ４））−（Ｅ）
式中、ｔは１又は０であり、ｕは１又は０であり、ｖは１又は０であり；Ｒ，Ｒ１，Ｒ２，Ｒ３，Ｒ４，Ｒ５，Ｒ６，Ｒ７，Ｒ８及びＲ９は同一か又は異なり、水素、１〜５個の炭素のヒドロキシアルキル、ヒドロキシ、１〜５個の炭素原子のアルキル、ハロゲン、１〜５個の炭素原子のハロアルキル、カルボキシ、２〜１０個の炭素のアルキルカルボニルアルキル、１〜５個の炭素原子のアルカノイルオキシ、１〜５個の炭素原子のカルボキシアルキル、アシル、アミド、シアノ、１〜５個の炭素のアミドアルキル、２〜１０個の炭素のＮ−モノアルキルアミドアルキル、４〜１０個の炭素のＮ，Ｎ−ジアルキルアミドアルキル、１〜５個の炭素のシアノアルキル、１〜５個の炭素原子のアルコキシ、２〜１０個の炭素原子のアルコキシアルキル、及び−ＣＯＲ１０からなる群から独立して選択され、Ｒ１０は１〜５個の炭素のアルキルであり；及びＸはハロゲン及びその錯体である。
【請求項２】
化合物が、アンモニウムトリクロロ（ジオキソエチレン−Ｏ，Ｏ′）テルレート又はＴｅＯ２、エチレングリコール及び塩化アンモニウムの錯体である請求項１に記載の医薬組成物。
【請求項３】
化合物を、保護されるべきドパミン作用性ニューロンが位置する場所に非経口的に又は直接投与するために設計される請求項１に記載の医薬組成物。
【請求項４】
化合物が、神経向性の成長因子と組み合わされて使用される請求項３に記載の医薬組成物。
【請求項５】
化合物を、経口的に投与するために設計される請求項１に記載の医薬組成物。
【請求項６】
化合物が、抗痙攣剤又は抗炎症剤と組み合わされて使用される請求項５に記載の医薬組成物。
【請求項７】
化合物が、医薬的に許容可能な担体又は希釈剤と混合された請求項１に記載の医薬組成物。
【請求項８】
神経変性疾患の治療又は予防のために特定される医薬組成物であって、以下の式の化合物の治療的に有効な量を含む医薬組成物：
2007514732.tif 000003
又はＴｅＯ２・ＨＯＣＨ２ＣＨ２ＯＨ・ＮＨ４Ｃｌの錯体；
又は
2007514732.tif 000004
又はＴｅＯ２もしくはＴｅＯ２の錯体（Ｃ）
又はＰｈＴｅＣｌ３（Ｄ）
又はＴｅＸ４（式中、ＸはＣｌ，Ｂｒ又はＦである）
又は（Ｃ６Ｈ５）４Ｐ＋（ＴｅＣｌ３（Ｏ２Ｃ２Ｈ４））−（Ｅ）
式中、ｔは１又は０であり、ｕは１又は０であり、ｖは１又は０であり；Ｒ，Ｒ１，Ｒ２，Ｒ３，Ｒ４，Ｒ５，Ｒ６，Ｒ７，Ｒ８及びＲ９は同一か又は異なり、水素、１〜５個の炭素のヒドロキシアルキル、ヒドロキシ、１〜５個の炭素原子のアルキル、ハロゲン、１〜５個の炭素原子のハロアルキル、カルボキシ、２〜１０個の炭素のアルキルカルボニルアルキル、１〜５個の炭素原子のアルカノイルオキシ、１〜５個の炭素原子のカルボキシアルキル、アシル、アミド、シアノ、１〜５個の炭素のアミドアルキル、２〜１０個の炭素のＮ−モノアルキルアミドアルキル、４〜１０個の炭素のＮ，Ｎ−ジアルキルアミドアルキル、１〜５個の炭素のシアノアルキル、１〜５個の炭素原子のアルコキシ、２〜１０個の炭素原子のアルコキシアルキル、及び−ＣＯＲ１０からなる群から独立して選択され、Ｒ１０は１〜５個の炭素のアルキルであり；及びＸはハロゲン及びその錯体である。
【請求項９】
前記神経変性疾患が、アルツハイマー病、パーキンソン病、多発性硬化症、脳卒中症候群、及び筋萎縮性側索硬化症からなる群から選択される請求項８に記載の医薬組成物。
【手続補正書】
【提出日】平成19年12月12日(2007.12.12)
【手続補正１】
【補正対象書類名】特許請求の範囲
【補正対象項目名】全文
【補正方法】変更
【補正の内容】
【特許請求の範囲】
【請求項１】
以下の工程を包含する、生物学的活性血清の製造方法：
ａ）非ヒト動物を電気刺激する工程；
ｂ）動物から血液を採取する工程；
ｃ）血液から血清を単離する工程、および；
ｄ）血清をγ線照射する工程。
【請求項２】
非ヒト動物が哺乳動物および鳥類からなる群より選択される、請求項１記載の方法。
【請求項３】
鳥類がニワトリ、アヒル、ガチョウ、ダチョウおよびウズラからなる群より選択される、請求項２記載の方法。
【請求項４】
工程ａ）において頭部、頸部、胴体および／または１つ以上の肢が電気刺激される、請求項１〜３のいずれか１項記載の方法。
【請求項５】
電気刺激が１〜６０秒の期間実施される、請求項１〜４のいずれか１項記載の方法。
【請求項６】
電気刺激が５０Ｖ〜１５０Ｖの範囲の電圧を用いて実施される、請求項１〜５のいずれか１項記載の方法。
【請求項７】
電気刺激が０．０１Ａ〜０．４Ａの範囲の電流を用いて実施される、請求項１〜６のいずれか１項記載の方法。
【請求項８】
電気刺激が１０〜２００Ｈｚの範囲の振動数を用いて実施される、請求項１〜７のいずれか１項記載の方法。
【請求項９】
γ線照射が１５〜３５ｋＧｙの吸収放射線量を用いて施される、請求項１〜８のいずれか１項記載の方法。
【請求項１０】
γ線照射の線源が６０Ｃｏ、１３７Ｃｓ、６７Ｃｕ、６７Ｇａ、１１１Ｉｎ、１９２Ｉｒ、９９ｍＴｃおよび１７０Ｔｍからなる群より選択される、請求項１〜９のいずれか１項記載の方法。
【請求項１１】
工程ｃ）の前に血液をインキュベートする工程をさらに包含する、請求項１〜１０のいずれか１項記載の方法。
【請求項１２】
工程ｄ）の前に血清を凍結乾燥する工程をさらに包含する、請求項１〜１１のいずれか１項記載の方法。
【請求項１３】
血液が動脈血および／または静脈血である、請求項１〜１１のいずれか１項記載の方法。
【請求項１４】
請求項１〜１３のいずれか１項記載の方法によって製造される血清。
【請求項１５】
請求項１４記載の血清ならびに１つ以上の医薬上許容される希釈剤；担体；賦形剤（充填剤、結合剤、潤滑剤、滑剤、崩壊剤、吸着剤を含む）；および／または保存剤を含む医薬組成物。
【請求項１６】
シロップ、注入溶液もしくは注射溶液、錠剤、カプセル、カプセレット、ロゼンジ、リポソーム、坐剤、プラスター、バンドエイド、遅延カプセル、粉剤、または徐放製剤として製剤化される、請求項１５記載の医薬組成物。
【請求項１７】
希釈剤が水、緩衝液、緩衝化塩溶液または塩溶液である、請求項１５または１６記載の医薬組成物。
【請求項１８】
担体がココアバターおよびビテベソールからなる群より選択される、請求項１５〜１７のいずれか１項記載の医薬組成物。
【請求項１９】
処置を必要とする対象の脳におけるサイクリックアデノシン一リン酸含量の増加によって影響され得る疾患または症状の処置のために使用される請求項１５〜１８のいずれか１項記載の医薬組成物。
【請求項２０】
認知および／または学習機能の改善のために使用される請求項１５〜１８のいずれか１項記載の医薬組成物。
【請求項２１】
発作の処置のために使用される請求項１５〜１８のいずれか１項記載の医薬組成物。
【請求項２２】
神経疾患の処置のために使用される請求項１５〜１８のいずれか１項記載の医薬組成物。
【請求項２３】
増殖性疾患および溢血の処置のために使用される請求項１５〜１８のいずれか１項記載の医薬組成物。
【請求項２４】
増殖性疾患が以下からなる群より選択される、請求項２３記載の医薬組成物：胃腸管または結腸直腸管、肝臓、膵臓、腎臓、膀胱、甲状腺、前立腺、子宮内膜、子宮頸部、卵巣、子宮、精巣、皮膚、口腔の悪性腫瘍；黒色腫；形成異常口腔粘膜；浸潤口腔ガン；小細胞肺ガンおよび非小細胞肺ガン；乳ガン；移行扁平上皮ガン；神経悪性腫瘍（神経芽腫、神経膠腫、星状細胞腫、骨肉腫、髄膜腫を含む）；軟部組織肉腫；血管腫および内分泌腫瘍。
【請求項２５】
増殖性疾患が以下に類似する細胞を含む、請求項２３記載の医薬組成物：ヒトＴ細胞リンパ腫細胞株Ｊｕｒｋａｔ、ヒトＢ細胞リンパ腫細胞株Ｒａｊｉ、ヒト黒色腫細胞株Ｂｒｏ、ヒト子宮頸部ガン細胞株ＨｅＬａ、ヒト腺ガン細胞株ＭＣＦ−７、骨肉腫細胞株Ｍｇ６３、線維肉腫細胞株ＨＴ１０８０、神経芽腫細胞株ＩＭＲ−３２および肝臓ガン細胞株ＨｅｐＧ２。
【請求項２６】
処置を必要とする対象に、５０〜１５０ｍｇ／ｋｇ体重の範囲の量で投与される、請求項１９〜２５のいずれか１項記載の医薬組成物。
【手続補正書】
【提出日】平成19年12月13日(2007.12.13)
【手続補正１】
【補正対象書類名】特許請求の範囲
【補正対象項目名】全文
【補正方法】変更
【補正の内容】
【特許請求の範囲】
【請求項１】
オレフィン変換の製造方法であって、前記変換反応は、リアクターにおいて、オレフィンのオリゴマー化あるいは、オレフィンを有する芳香族またはフェノール化合物のアルキル化を含むとともに、前記変換は、変換生成物を形成するために変換条件下で触媒床を通してオレフィンおよび水を含む原料を連続的に移動することを含み、前記原料の水分量は、前記反応原料組成の解析により自動的にコントロールされることを特徴とする製造方法。
【請求項２】
上記水分は水洗の手段により上記原料に導入されることを特徴とする、請求項１記載の製造方法。
【請求項３】
１つ以上のコアレッサーが上記水洗の下流で提供されることを特徴とする、請求項２記載の製造方法。
【請求項４】
(a)原料に水を導入する工程、(b)原料を乾燥する工程、および(c)水洗が使用される場合において、水洗の温度を調整する工程、のうちの１つ以上の解析の結果に依存して、上記原料の水分量は自動的にコントロールされることを特徴とする、請求項１〜３のいずれかの項に記載の製造方法。
【請求項５】
オンライン・アナライザーは、上記原料がリアクターに供給される時に、原料の組成を決定するために提供されることを特徴とする、請求項１〜４のいずれかの項に記載の製造方法。
【請求項６】
上記リアクター原料の解析はまた、酸素化成分の濃度の測定を含むことを特徴とする、請求項１〜５のいずれかの項に記載の製造方法。
【請求項７】
上記原料の水分量は、プロセスの後期の段階よりプロセスの初期の段階において、増大するようにコントロールされることを特徴とする、請求項１〜６のいずれかの項に記載の製造方法。
【請求項８】
上記変換生成物は未反応オレフィンおよび希釈剤（存在する場合）から分離されることを特徴とする、請求項１〜７のいずれかの項に記載の製造方法。
【請求項９】
上記未反応オレフィンおよび／または希釈剤（存在する場合）は上記リアクターへリサイクルされることを特徴とする、請求項８に記載の製造方法。
【請求項１０】
上記変換はチューブ状リアクター中で行われることを特徴とする、請求項１〜９のいずれかの項に記載の製造方法。
【請求項１１】
上記変換はチャンバー・リアクター中で行われることを特徴とする、請求項１〜９のいずれかの項に記載の製造方法。
【請求項１２】
上記変換はオリゴマー化であることを特徴とする、請求項１〜１１のいずれかの項に記載の製造方法。
【請求項１３】
上記変換生成物は30℃〜310℃の沸点範囲にあるC5〜C20のオレフィンを含むことを特徴とする、請求項１２に記載の製造方法。
【請求項１４】
C3およびC4オレフィンの混合物のオリゴマー化を含むことを特徴とする、請求項１２または１３に記載の製造方法。
【請求項１５】
C6〜C15のオレフィンを生成するために、エチレン、プロピレン、ブテンおよび／またはアミレンのオリゴマー化を含むことを特徴とする、請求項１２または１３に記載の製造方法。
【請求項１６】
上記変換生成物は後続反応における使用のために精製されることを特徴とする、請求項１２〜１５のいずれかの項に記載の製造方法。
【請求項１７】
上記変換生成物は脱硫されることを特徴とする、請求項１６に記載の製造方法。
【請求項１８】
上記変換はアルキル化であることを特徴とする、請求項１〜１１のいずれかの項に記載の製造方法。
【請求項１９】
上記触媒はゼオライト触媒を含むことを特徴とする、請求項１〜１８のいずれかの項に記載の製造方法。
【請求項２０】
上記変換温度は110℃〜310℃であることを特徴とする、請求項１９に記載の製造方法。
【請求項２１】
上記触媒は固体リン酸を含むことを特徴とする、請求項１〜１８のいずれかの項に記載の製造方法。
【請求項２２】
上記変換温度は200℃〜300℃であることを特徴とする、請求項２１に記載の製造方法。
【手続補正書】
【提出日】平成20年2月28日(2008.2.28)
【手続補正１】
【補正対象書類名】特許請求の範囲
【補正対象項目名】請求項１
【補正方法】変更
【補正の内容】
【請求項１】
ヒドロホルミル化生成物を形成するために一酸化炭素および水素を用いた一つ以上のオレフィン類のヒドロホルミル化を含む製造方法であって、前記ヒドロホルミル化が連続する少なくとも２つのヒドロホルミル化リアクター中で起こり、ヒドロホルミル化または後続処理段階からの未反応ガスが、少なくとも二番目の位置にあるヒドロホルミル化リアクターへリサイクルされ、前記ヒドロホルミル化生成物が高圧セパレーターへ供給され、かつ高圧セパレーターからのオフガスの一酸化炭素量は、その一酸化炭素の分圧が７５バール以上であるようになされていることを特徴とする、製造方法。
【手続補正書】
【提出日】平成20年5月14日(2008.5.14)
【手続補正１】
【補正対象書類名】特許請求の範囲
【補正対象項目名】全文
【補正方法】変更
【補正の内容】
【特許請求の範囲】
【請求項１】
クロストリジウムの毒素またはトキソイド、およびC.ディフィシルに対して有効な抗生物質を組み合わせたことを特徴とする、ヒト患者におけるクロストリジウム ディフィシル（Clostridium difficile）関連疾患を予防または治療するための、経皮投与用医薬組成物。
【請求項２】
毒素またはトキソイドが、クロストリジウム ディフィシルの毒素またはトキソイドである、請求項1記載の医薬組成物。
【請求項３】
抗生物質がバンコマイシンである、請求項1記載の医薬組成物。
【請求項４】
抗生物質がメトロニダゾールである、請求項1記載の医薬組成物。
【請求項５】
クロストリジウム ディフィシル（Clostridium difficile）関連疾患が、再発性クロストリジウム ディフィシル関連疾患である、請求項1記載の医薬組成物。
【請求項６】
筋肉内投与用、静脈内投与用、または皮下投与用である、請求項1記載の医薬組成物。
【請求項７】
クロストリジウム ディフィシル（Clostridium difficile）関連疾患が、症候性クロストリジウム ディフィシル関連疾患である、請求項1記載の医薬組成物。
【請求項８】
毒素またはトキソイドおよび抗生物質を用いた治療がほぼ同時に終了する、請求項1記載の医薬組成物。
【請求項９】
クロストリジウムの毒素またはトキソイド、を含有してなる薬剤と、C.ディフィシルに対して有効な抗生物質を含有してなる薬剤とを含むキットである、請求項１〜８のいずれか一項記載の医薬組成物。
【手続補正書】
【提出日】平成19年12月17日(2007.12.17)
【手続補正１】
【補正対象書類名】特許請求の範囲
【補正対象項目名】全文
【補正方法】変更
【補正の内容】
【特許請求の範囲】
【請求項１】
ヒドロクロロフルオロカーボンまたはヒドロフルオロカーボンをフルオロモノマーに熱分解するステップを含む方法であって、前記熱分解が機械的に支持されたニッケルでライニングされた反応域中で実施されることを特徴とする方法。
【手続補正２】
【補正対象書類名】明細書
【補正対象項目名】００４１
【補正方法】変更
【補正の内容】
【００４１】
【表１】
2007514747.tif 000001
なお、本発明の好ましい態様としては以下のものを挙げることができる。
１．ヒドロクロロフルオロカーボンまたはヒドロフルオロカーボンをフルオロモノマーに熱分解するステップを含む方法であって、前記熱分解が機械的に支持されたニッケルでライニングされた反応域中で実施されることを特徴とする方法。
２．前記ヒドロクロロフルオロカーボンにはクロロジフルオロメタンが含まれることを特徴とする１に記載の方法。
３．前記ヒドロクロロフルオロカーボンにはＣＦ２ＣｌＣＦ２Ｈも含まれることを特徴とする２に記載の方法。
４．前記熱分解は、約１０〜５０％の前記ヒドロクロロフルオロカーボンを転換して実施されることを特徴とする１に記載の方法。
５．前記ヒドロフルオロカーボンが熱分解されているときに、温度が約７５０℃〜９００℃であることを条件にして、前記熱分解を約６００℃〜７５０℃の温度で実施することを特徴とする１に記載の方法。
６．前記ヒドロフルオロカーボンが熱分解されているときに、滞在時間が約２秒未満であることを条件にして、前記熱分解を約０．１秒未満の前記反応域での滞在時間で実施することを特徴とする１に記載の方法。
７．前記フルオロモノマーにはテトラフルオロエチレンが含まれることを特徴とする１に記載の方法。
８．前記反応域の断面が管状であり、前記ニッケルライニング用の機械的支持物は前記ライニング用の金属ジャケットであることを特徴とする１に記載の方法。
９．前記反応域の断面が環状であることを特徴とする１に記載の方法。
１０．前記反応域の体積が少なくとも約０．０４ｍ３であることを特徴とする１に記載の方法。
１１．前記反応域の長さが少なくとも約８ｍであることを特徴とする１に記載の方法。
【手続補正書】
【提出日】平成19年11月28日(2007.11.28)
【手続補正１】
【補正対象書類名】特許請求の範囲
【補正対象項目名】全文
【補正方法】変更
【補正の内容】
【特許請求の範囲】
【請求項１】
代謝調節型グルタミン酸受容体５拮抗剤、またはその薬学的に許容し得る塩、またはその光学異性体の、機能性消化管障害の治療用医薬品の製造のための使用。
【請求項２】
機能性消化管障害が機能性消化不良である、請求項１の使用。
【請求項３】
代謝調節型グルタミン酸受容体５拮抗剤が、２−メチル−６−（フェニルエチニル）−ピリジンである請求項１または２に記載の使用。
【請求項４】
代謝調節型グルタミン酸受容体５拮抗剤が、２−メチル−６−（フェニルエチニル）−ピリジンの塩酸塩である、請求項３に記載の使用。
【請求項５】
薬学的におよび薬理学的に有効量の代謝調節型グルタミン酸受容体５拮抗剤またはその薬学的に許容し得る塩またはその光学異性体が、そのような治療を必要とする患者に投与される、機能性消化管障害の治療方法。
【手続補正書】
【提出日】平成19年11月29日(2007.11.29)
【手続補正１】
【補正対象書類名】特許請求の範囲
【補正対象項目名】請求項２５
【補正方法】変更
【補正の内容】
【請求項２５】
請求項１記載の化合物を含む、糖尿病、トラウマまたはショックに起因する骨格筋への損傷、および心疾患から選択される病状の治療剤。
【手続補正２】
【補正対象書類名】特許請求の範囲
【補正対象項目名】請求項２６
【補正方法】変更
【補正の内容】
【請求項２６】
心疾患が心房性不整脈、間欠性跛行、心室性不整脈、プリンツメタル（異型）狭心症、安定狭心症、不安定狭心症、鬱血性心不全または心筋梗塞症である、請求項２５記載の治療剤。
【手続補正３】
【補正対象書類名】特許請求の範囲
【補正対象項目名】請求項２７
【補正方法】変更
【補正の内容】
【請求項２７】
病状が糖尿病である、請求項２６記載の治療剤。
【手続補正４】
【補正対象書類名】特許請求の範囲
【補正対象項目名】請求項２８
【補正方法】変更
【補正の内容】
【請求項２８】
病状が鬱血性心不全である、請求項２６記載の治療剤。
【手続補正書】
【提出日】平成20年3月3日(2008.3.3)
【手続補正１】
【補正対象書類名】特許請求の範囲
【補正対象項目名】全文
【補正方法】変更
【補正の内容】
【特許請求の範囲】
【請求項１】
多孔質低誘電率層内に形状を形成する方法であって、
基板の上に、多孔質低誘電率層を配する工程と、
前記多孔質低誘電率層の上に、パターン形成されたフォトレジストマスクを配する工程と、
前記多孔質低誘電率層内に、形状をエッチングする工程と、
前記形状のエッチング後に、前記形状の上に保護層を成長させる工程と、
前記保護層の一部が除去されるように、前記パターン形成されたフォトレジストマスクを剥離させる工程であって、前記形状内に、前記保護層で形成された保護壁を残留させる、工程と、
を備える方法。
【請求項２】
請求項１に記載の方法であって、さらに、
前記フォトレジストマスクを配する前に、前記多孔質低誘電率層の上にキャップ層を配する工程であって、前記フォトレジストマスクは、前記キャップ層の上に配される、工程を備える方法。
【請求項３】
請求項１ないし２のいずれかに記載の方法であって、さらに、
前記保護壁の上に成長層を成長させる工程を備える方法。
【請求項４】
請求項２ないし３のいずれかに記載の方法であって、さらに、
前記フォトレジストマスクを配する前に、前記キャップ層の上に反射防止膜を形成する工程であって、前記フォトレジストマスクは、前記反射防止膜の上に配される、工程を備える方法。
【請求項５】
請求項１ないし４のいずれかに記載の方法であって、
前記保護層を成長させる工程は、フッ素を含有しない層を成長させる工程を含む、方法。
【請求項６】
請求項１ないし５のいずれかに記載の方法であって、
前記保護層を成長させる工程は、さらに、ポリマ層を成長させる工程を含む、方法。
【請求項７】
請求項１ないし６のいずれかに記載の方法であって、
前記保護層は、１００オングストロームから１５００オングストロームまでの間の厚さである、方法。
【請求項８】
請求項１ないし７のいずれかに記載の方法であって、
前記ポリマ層を成長させる工程は、Ｃ2Ｈ4およびＯ2の成長用ガスを供給する工程を含む、方法。
【請求項９】
請求項１ないし８のいずれかに記載の方法であって、
前記剥離させる工程は、水素、窒素、アンモニア、および酸素のうちの少なくとも１つより選択された剥離用ガスを供給する工程を含む、方法。
【請求項１０】
請求項１ないし９のいずれかに記載の方法であって、
前記多孔質低誘電率層は、ナノメートルサイズの孔を有する、方法。
【請求項１１】
請求項１ないし１０のいずれかに記載の方法であって、
前記剥離させる工程は、イオン衝撃を使用する工程を含む、方法。
【請求項１２】
請求項１１に記載の方法であって、
前記イオン衝撃は、前記保護層の上層は除去するが、前記保護層で形成された保護壁は残留させる、方法。
【請求項１３】
請求項１ないし１２のいずれかに記載の方法であって、
前記保護壁の上に成長される成長層は、障壁層である、方法。
【請求項１４】
請求項１ないし１３のいずれかに記載の方法であって、さらに、
前記基板をエッチングチャンバ内に配する工程を備え、前記エッチングする工程、前記保護層を成長させる工程、および前記パターン形成されたフォトレジストマスクを剥離させる工程は、前記エッチングチャンバ内のその場で実施される、方法。
【請求項１５】
請求項１ないし１４のいずれかに記載の方法によって形成される半導体デバイス。
【請求項１６】
基板の上の多孔質低誘電率層内にマスクを通して形状をエッチングするための装置であって、
プラズマ処理チャンバであって、
プラズマ処理チャンバ筐体を形成するチャンバ壁と、
前記プラズマ処理チャンバ筐体内において基板を支持するための基板支持部と、
前記プラズマ処理チャンバ筐体内における圧力を調整するための圧力調整部と、
プラズマを維持するために前記プラズマ処理チャンバ筐体内に電力を供給するための少なくとも１つの電極と、
前記プラズマ処理チャンバ筐体内にガスを供給するためのガス供給口と、
前記プラズマ処理チャンバ筐体内からガスを排出させるためのガス排出口と
を備えるプラズマ処理チャンバと、
前記ガス供給口に流体接続されているガス供給源であって、
エッチャントガス供給源と、
保護層用ガス供給源と、
剥離用ガス供給源と
を有するガス供給源と、
前記ガス供給源、前記少なくとも１つの電極、前記圧力調整部、前記ガス供給口、および前記ガス排出口の少なくとも１つに制御可能なかたちで接続されている制御部であって、
少なくとも１つの処理部と、
コンピュータ可読媒体であって、
多孔質低誘電率層内に形状をエッチングするためのエッチング用プラズマを供給するためのコンピュータ可読コードと、
前記保護層用ガス供給源から保護層用ガスを供給することによって、前記形状のエッチング後に多孔質低誘電率層内の前記形状の上に保護層を形成するためのコンピュータ可読コードと、
前記多孔質低誘電率層の上からフォトレジストマスクの剥離を行うためのコンピュータ可読コードと
を含み、前記剥離は、前記保護層の一部を除去し、前記保護層で形成された保護壁を残留させる、コンピュータ可読媒体と
を有する制御部と
を備える装置。
【請求項１７】
基板の上に配され、かつ、パターン形成されたフォトレジストマスクの下に配された多孔質低誘電率層内に、形状を形成する方法であって、
前記フォトレジストマスクを通して、前記多孔質低誘電率層内に形状をエッチングする工程と、
前記形状のエッチング後に、前記形状の上に保護層を成長させる工程と、
前記保護層の一部が除去されるように、前記パターン形成されたフォトレジストマスクを剥離させる工程であって、前記形状内に、前記保護層で形成された保護壁を残留させる、工程と、
を備える方法。
【請求項１８】
請求項１７に記載の方法であって、
前記保護層を成長させる工程は、さらに、ポリマ層を成長させる工程を含む、方法。
【請求項１９】
請求項１６に記載の装置であって、
前記コンピュータ可読媒体は、さらに、前記保護壁の上に成長層を成長させるためのコンピュータ可読コードを含む装置。
【請求項２０】
請求項１６に記載の装置であって、
前記保護層用ガス供給源は、フッ素を含有しない保護層用ガスを収容している装置。
【手続補正書】
【提出日】平成19年12月7日(2007.12.7)
【手続補正１】
【補正対象書類名】特許請求の範囲
【補正対象項目名】全文
【補正方法】変更
【補正の内容】
【特許請求の範囲】
【請求項１】
上部及び下部の主表面を有するチップキャリアと、
前記熱伝導性チップキャリアの上部主表面に取付けられた少なくとも１つの発光チップと、
前記チップキャリアの上部主表面に取付けられたリードフレームであり、前記チップキャリアの下部主表面に接触していないリードフレームと、
を備える発光パッケージ。
【請求項２】
上部及び下部の主表面を有するチップキャリアと、
前記チップキャリアの上部主表面に取付けられた少なくとも１つの発光チップと、
前記チップキャリアの上部主表面に取付けられたリードフレームであり、前記チップキャリアの上部主表面に取付けられた前記リードフレームの一部から延びる電気リード部を有し、該電気リード部が、前記チップキャリアの下部主表面とほぼ同一平面上にあるリード部分を含むように成形されている、リードフレームと、
を備える発光パッケージ。
【請求項３】
前記導電性材料の１つ又はそれ以上の区域に電気的に接触する少なくとも１つの電子構成要素を更に含み、該少なくとも１つの電子構成要素が、前記少なくとも１つの発光チップの動作を調節することを特徴とする請求項１又は２に記載の発光パッケージ。
【請求項４】
前記チップキャリアの下部主表面は、前記リードフレームから電気的に絶縁されていることを特徴とする請求項１又は２に記載の発光パッケージ。
【請求項５】
少なくとも前記発光チップ及び前記チップキャリアの上部主表面をカプセル化するカプセル化材料を更に備え、前記チップキャリアの下部主表面及び前記リードフレームのリード部が前記カプセル化材料の外側に延びていることを特徴とする請求項１乃至４の何れかに記載の発光パッケージ。
【請求項６】
前記チップキャリアの上部主表面上に配置され、該上部主表面への前記リードフレームの取付部が電気的に接触する導電性材料の１つ又はそれ以上の区域を更に含む請求項１乃至５の何れかに記載の発光パッケージ。
【手続補正書】
【提出日】平成19年11月15日(2007.11.15)
【手続補正１】
【補正対象書類名】特許請求の範囲
【補正対象項目名】請求項１９
【補正方法】変更
【補正の内容】
【請求項１９】
第１および第２のテーブル値にアクセスする手段は、２組以上の第１および第２のテーブル値に並列にアクセスする手段を含み、現在剰余シンボルを特定する手段は、２組以上の現在剰余シンボルを並列に特定する手段を含む、請求項１３に記載の装置。
【手続補正書】
【提出日】平成19年12月6日(2007.12.6)
【手続補正１】
【補正対象書類名】明細書
【補正対象項目名】００２９
【補正方法】変更
【補正の内容】
【００２９】
ＮＡＮＤゲート３０２、３０６の入力におけるＵＰ／ＤＯＷＮ信号からインバータ３０３、３０４を通って、およびインバータ３０７、３０８を通ってトランジスタ３１０および３１５のゲートに至る経路は、同じ挿入遅延を提供するように整合される。パスゲート３０８は、ＤＯＷＮ信号からトランジスタ３１７のゲートまでの経路におけるインバータ３０７により付加される遅延を複写するように経路に含まれる。トランジスタ３０９が「ｏｎ」の際のＮＭＯＳトランジスタ３０９のソースドレイン経路に亘る小さな電圧降下を補うために、ＰＭＯＳトランジスタ３１１および３１３が付加されて、ＰＭＯＳトランジスタ３０９を通る電流経路に対称性を与える。ＮＭＯＳトランジスタ３１８はＰＭＯＳトランジスタ３１５を通る電流経路に対称性を与える。
【手続補正２】
【補正対象書類名】明細書
【補正対象項目名】００３７
【補正方法】変更
【補正の内容】
【００３７】
ＮＭＯＳ装置３２１とＮＭＯＳ装置３２２を含む起動回路は、パワーアップフェーズ時において動作基点に達する際にチャージポンプを支援する。起動回路は最初にノードＯＵＴの電圧をＶｄｄより低い値に設定する。これにより、演算増幅器３２３はパワーアップフェーズ後に適切に動作することができる。パワーアップフェーズ時においてパワーアップ後所定期間の間アサートされる起動信号は、ＮＭＯＳ装置３２２のゲートに連結される。ＮＭＯＳ装置３２２はノードＯＵＴに連結されるゲートとソースの両方に連結されるダイオードである。ＮＭＯＳ装置３２２のドレインはＮＭＯＳ装置３２１のドレインに連結される。
【手続補正３】
【補正対象書類名】明細書
【補正対象項目名】００４７
【補正方法】変更
【補正の内容】
【００４７】
他の実施形態は、電流ミラーにおける基準電流ソース用のプログラム可能アレイマスタ
ートランジスタを使用して、回路の動作を構成またはテストする。図７は、図４のトランジスタ３１３およびトランジスタ３１４両者を置き換えるのに適した、トランジスタ５００のこのようなプログラム可能アレイの概略図である。４つのアクティブロー選択信号（ＳＥＬ０ｂ、ＳＥＬ１ｂ、ＳＥＬ２ｂおよびＳＥＬ３ｂ）は４つの選択ＰＭＯＳトランジスタ５０１、５０２、５０３および５０４に連結される。各選択トランジスタは、異なる電流ミラーマスターＰＭＯＳトランジスタ５０５、５０６、５０７、５０８に連結される。ＳＥＬ信号の１つ以上がアクティブローであり、これにより可変電流が流れることが可能となる。電流の大きさは、アクティブローであるＳＥＬ信号の数に依存して変化する。例えば、ＳＥＬ０ｂだけがアクティブローの状態では、電流はＰＭＯＳトランジスタ５０５および選択トランジスタ５０１にだけ流れ、この電流は図４のトランジスタ３１２および３１０でミラーされる。電流はＰＭＯＳトランジスタ５０５、５０６、５０７および５０８ならびに選択トランジスタすべてを流れるので、４つの選択信号がすべてアクティブローの状態で電流の大きさは増加する。この電流は、トランジスタ３１０および３１２のドレインに連結される、Ｖｂｎノードを通ってトランジスタ３１２および３１０でミラーされる。
【手続補正４】
【補正対象書類名】明細書
【補正対象項目名】００５３
【補正方法】変更
【補正の内容】
【００５３】
図９は、図４の実施形態で示されるＮＭＯＳトランジスタの代わりのＰ−ＭＯＳ装置を制御する演算増幅器を備えた、異なる構成を有するチャージポンプの別の実施形態の概略図である。本発明の同じ原則を適用することにより、演算増幅器３２３はトランジスタ３１０’、３１２’、３１５’および３１６’のドレインを図４に示される実施形態で説明されたのと同じ方法で等しくする。
【手続補正書】
【提出日】平成19年11月14日(2007.11.14)
【手続補正１】
【補正対象書類名】特許請求の範囲
【補正対象項目名】請求項２
【補正方法】変更
【補正の内容】
【請求項２】
請求項１の探索方法であって、前記遅延ツリーを探索するステップが、
前記遅延ツリーを下方に移動するステップと、
前記ルートノードより下に位置する前記遅延ツリーの各レベルで、一つ以上の生き残りノードを特定するステップと
含むことを特徴とする探索方法。
【手続補正２】
【補正対象書類名】特許請求の範囲
【補正対象項目名】請求項３
【補正方法】変更
【補正の内容】
【請求項３】
請求項２の探索方法であって、さらに、
前記ルートノードより下に位置する前記遅延ツリーの各レベルで非生き残りノードを特定するステップと、
前記遅延ツリーにおいてより低いレベルを次に探索するときに、削除されたサブツリーを含めないようにするために、前記非生き残りノードに属するサブツリーを削除するステップと
を含むことを特徴とする探索方法。
【手続補正３】
【補正対象書類名】特許請求の範囲
【補正対象項目名】請求項４
【補正方法】変更
【補正の内容】
【請求項４】
請求項２の探索方法であって、前記一つ以上の生き残りノードを特定するステップが、
前記遅延ツリーにおいて前記ルートノードより下に位置する各レベルに対してレベル閾値を決定するステップと、
一つ以上の前記レベルにおけるノードと、対応するレベル閾値とを比較するステップと、
レベル閾値と一致するか超えているノードを生き残りノードであると特定するステップと
を含むことを特徴とする探索方法。
【手続補正４】
【補正対象書類名】特許請求の範囲
【補正対象項目名】請求項１７
【補正方法】変更
【補正の内容】
【請求項１７】
請求項１６の探索方法であって、前記一つ以上の信号遅延に対して信号特性を決定するステップが、前記一つ以上の信号遅延のそれぞれに関連して信号エネルギーを決定するステップを含むことを特徴とする探索方法。
【手続補正５】
【補正対象書類名】特許請求の範囲
【補正対象項目名】請求項２８
【補正方法】変更
【補正の内容】
【請求項２８】
それぞれ対応する信号遅延を有する一つ以上の信号イメージを含む信号を受信する受信機のために一つ以上の信号遅延を選択する選択方法であって、
探索ウインドーにおける複数の信号遅延から生き残り信号遅延を選択するステップと、
前記生き残り信号遅延に対応する信号遅延を、開始状態、定常状態及び終了状態を含む複数の順序状態を有する状態マシンに入力するステップと、
前記一つ以上の生き残り信号遅延の探索結果に応じて前記状態マシンにおける候補遅延を昇格させたり降格させたりするステップと、
前記状態マシンが有する一つ以上の状態において一つ以上の候補遅延を復調器に割り当てるステップと
を含むことを特徴とする選択方法。
【手続補正６】
【補正対象書類名】特許請求の範囲
【補正対象項目名】請求項３９
【補正方法】変更
【補正の内容】
【請求項３９】
ＲＡＫＥ受信機を用いて、それぞれ対応する信号遅延を有する一つ以上の信号イメージを含む信号を受信する方法であって、
遅延ツリーの最下位レベルに位置し、それぞれ信号遅延に関連付けられた複数の遅延ノードと、前記複数の遅延ノードの中間に位置する一つ以上のリンクノードと、該遅延ツリーの最上位レベルに位置するルートノードとを含む階層的な該遅延ツリーを生成するステップと、
前記遅延ツリーの探索が完了したときに残っている一つ以上の生き残り遅延ノードに対応する一つ以上の候補遅延を特定するために、前記遅延ツリーを探索するステップと、
前記生き残り遅延ノードに対応する候補遅延を候補プールに追加するステップと、
前記候補プールから前記ＲＡＫＥ受信機のために、一つ以上のフィンガ遅延を選択するステップと、
１つ以上のＲＡＫＥフィンガにおいて、前記選択されたフィンガ遅延を用いて、受信した前記信号を逆拡散するステップと
を含むことを特徴とする方法。